(57)【要約】  表示装置（１）における輝度ムラを補正する輝度補正装置（５）において、前記表示装置（１）における画像を表示する表示エリア（１０Ａ）と当該表示エリアの表面と同一の反射率を有するブランクエリア（１０Ｂ）を撮影装置が撮影して得た撮影画像データを入力する入力部（５１）と、前記撮影画像データに基づき、前記ブランクエリアにおける明るさの変化を検出し、当該前記ブランクエリアにおける明るさの変化に基づき、表示エリアにおける撮影時の条件により生じる明るさの変化を推定して、推定結果に基づき、表示エリアにおいて撮影時の条件により生じる明るさの変化を低減させる補正をした補正用原画像データを作成する明るさ変化補正部（５３３）を備え、当該補正用原画像データに基づき前記表示エリアの輝度ムラを補正することを特徴とする。
2011141972.tif 000002
【特許請求の範囲】
【請求項１】
表示装置における輝度ムラを補正する輝度補正装置において、
前記表示装置における画像を表示する表示エリアと当該表示エリアの表面と同一の反射率を有するブランクエリアを撮影装置が撮影して得た撮影画像データを入力する入力部と、
前記撮影画像データに基づき、前記ブランクエリアにおける明るさの変化を検出し、当該前記ブランクエリアにおける明るさの変化に基づき、表示エリアにおける撮影時の条件により生じる明るさの変化を推定して、推定結果に基づき、表示エリアにおいて撮影時の条件により生じる明るさの変化を低減させる補正をした補正用原画像データを作成する明るさ変化補正部を備え、
当該補正用原画像データに基づき前記表示エリアの輝度ムラを補正することを特徴とする輝度補正装置。
【請求項２】
前記ブランクエリアは、
前記表示エリアの外縁に、当該表示エリアと一体的に形成されており、画像を表示しない領域であることを特徴とする請求項１に記載の輝度補正装置。
【請求項３】
前記明るさ変化補正部は、
前記ブランクエリアにおける明るさの変化を均一とする補正のためのブランクエリアレベル補正値に基づき、前記表示エリアにおける撮影時の条件により生じる明るさの変化を補正するための表示エリアレベル補正値を算出し、当該表示エリアレベル補正値で前記撮影画像データにおける前記表示エリアに対応する画像データを補正して、前記補正用画像データを作成することを特徴とする請求項１あるいは２に記載の輝度補正装置。
【請求項４】
前記明るさ変化補正部は、
前記撮影画像データ内における前記表示エリアと前記ブランクエリアの歪みを除去するための画像処理を行うことを特徴とする請求項１あるいは２に記載の輝度補正装置。
【請求項５】
画像を表示する表示エリアと当該表示エリアの外縁に形成されているブランクエリアとを含む表示画面を備える表示装置と、
前記表示画面を撮影して、前記表示エリアに表示された画像と前記ブランクエリアとを含む撮影画像データを取得する撮影装置と、
前記撮影装置から送信される前記撮影画像データを受信する受信部と、前記撮影画像データに基づき、前記ブランクエリアにおける明るさの変化を検出し、当該前記ブランクエリアにおける明るさの変化に基づき、表示エリアにおいて撮影時の条件により生じる明るさの変化を推定して、推定結果に基づき、表示エリアにおいて撮影時の条件により生じる明るさの変化を低減させる補正をした補正用原画像データを作成する明るさ変化補正部と、当該補正用原画像データに基づき、前記表示装置において当該表示エリアの輝度ムラを補正する輝度補正値を算出する補正値算出部と、前記輝度補正値を前記表示装置に出力する送信する送信部を備える輝度補正装置と、
を備えることを特徴とする輝度補正システム。
【請求項６】
画像を表示する表示エリアと当該表示エリアの外縁に形成されているブランクエリアを含む表示画面を備える表示装置が、輝度検出用画像を表示するステップと、
撮影装置が、前記表示画面を撮影して、前記表示エリアに表示された画像と前記ブランクエリアとを含む撮影画像データを取得するステップと、
前記撮影画像データに基づき、前記ブランクエリアにおける明るさの変化を検出し、当該前記ブランクエリアにおける明るさの変化に基づき、表示エリアにおいて撮影時の条件により生じる明るさの変化を推定して、推定結果に基づき、表示エリアにおいて撮影時の条件により生じる明るさの変化を低減させる補正をした補正用原画像データを作成するステップと、
当該補正用原画像データに基づき、前記表示装置において当該表示エリアの輝度ムラを補正する輝度補正値を算出するステップと、
を備えることを特徴とする輝度補正方法。
【発明の詳細な説明】
【技術分野】
【０００１】
本発明は、表示装置の輝度ムラを補正する輝度補正装置、輝度補正システムおよび輝度補正方法に関する。
【背景技術】
【０００２】
例えば、液晶表示装置の表示画面に表示される画像は、バックライトの発光分布のばらつきや表示装置内部の温度の変化によって、輝度ムラが生じる。この輝度ムラとは、表示装置の表示画面のある領域がその他の領域と比べて、その輝度に差がある状態であり、ある程度の大きさの領域に渡り、周囲と比べて明るい領域（白ムラ）や暗い領域（黒ムラ）が発生している状態である。
一般的に、表示装置は、輝度ムラを補正する機能を有し、出荷時に工場において表示装置ごとに輝度が調整される。例えば、製造工程において、表示装置の表示画面に単一階調の画像を表示させ、表示画面の輝度分布を輝度センサといった測定器で計測するか、表示画面をカメラで撮影するなどして、表示画面に表示された画像の輝度を記録したテーブルデータを作成する。このテーブルデータに基づいて輝度の目標値を設定し、設定された目標輝度になるように階調値を調整することで表示装置の輝度ムラを補正する。【０００３】
しかし、表示装置の輝度は、製品の経時変化やユーザの使用環境の温度や照明等に依存して状態が変化するため、出荷時の調整値が常に最適な値であるとは限らない。このため、出荷時には輝度ムラがなくても、使用している間に、表示装置の輝度ムラが発生する。
例えば、高価な光学測定器ではなく、一般的なデジタルカメラなどで撮影された画像データを解析して、簡易的に輝度ムラを補正する方法がある（例えば、特許文献１参照）。
【先行技術文献】
【特許文献】
【０００４】
【特許文献１】特開２００３−１６７５２９号公報
【発明の概要】
【発明が解決しようとする課題】
【０００５】
しかしながら、一般的に普及しているデジタルカメラ等を使用して自宅で特許文献１に記載されているような輝度補正を行うとすると、使用するカメラの種類や性能が異なり、表示装置が設置される環境光や温度あるいは撮影者の撮影方法等が異なる。
これら撮影環境や撮影装置等の撮影時の条件が異なることによって、撮影した画像には、表示装置自身の内部的要因により生じる輝度ムラと、撮影時の撮影装置や環境により生じる輝度ムラとが発生しており、表示装置自身の内部要因により生じる輝度ムラだけを補正することができず、輝度ムラの補正精度が悪くなる問題があった。【０００６】
本発明は、このような事情を考慮し、上記の問題を解決すべくなされたものであって、その目的は、表示装置自身の輝度ムラを精度よく補正することができる輝度補正装置、輝度補正システムおよび輝度補正方法を提供することにある。
【課題を解決するための手段】
【０００７】
上記問題を解決するために、本発明に係る輝度補正装置は、表示装置における輝度ムラを補正する輝度補正装置において、前記表示装置における画像を表示する表示エリアと当該表示エリアの表面と同一の反射率を有するブランクエリアを撮影装置が撮影して得た撮影画像データを入力する入力部と、前記撮影画像データに基づき、前記ブランクエリアにおける明るさの変化を検出し、当該前記ブランクエリアにおける明るさの変化に基づき、表示エリアにおける撮影時の条件により生じる明るさの変化を推定して、推定結果に基づき、表示エリアにおいて撮影時の条件により生じる明るさの変化を低減させる補正をした補正用原画像データを作成する明るさ変化補正部を備え、当該補正用原画像データに基づき前記表示エリアの輝度ムラを補正することを特徴とする。【０００８】
また、上述の輝度補正装置は、前記ブランクエリアが、前記表示エリアの外縁に、当該表示エリアと一体的に形成されており、画像を表示しない領域であることを特徴とする。【０００９】
また、上述の輝度補正装置は、前記明るさ変化補正部が、前記ブランクエリアにおける明るさの変化を均一とする補正のためのブランクエリアレベル補正値に基づき、前記表示エリアにおける撮影時の条件により生じる明るさの変化を補正するための表示エリアレベル補正値を算出し、当該表示エリアレベル補正値で前記撮影画像データにおける前記表示エリアに対応する画像データを補正して、前記補正用画像データを作成することを特徴とする。【００１０】
また、上述の輝度補正装置は、前記明るさ変化補正部が、前記撮影画像データ内における前記表示エリアと前記ブランクエリアの歪みを除去するための画像処理を行うことを特徴とする。【００１１】
また、上記問題を解決するために、本発明に係る輝度補正システムは、画像を表示する表示エリアと当該表示エリアの外縁に形成されているブランクエリアとを含む表示画面を備える表示装置と、前記表示画面を撮影して、前記表示エリアに表示された画像と前記ブランクエリアとを含む撮影画像データを取得する撮影装置と、前記撮影装置から送信される前記撮影画像データを受信する受信部と、前記撮影画像データに基づき、前記ブランクエリアにおける明るさの変化を検出し、当該前記ブランクエリアにおける明るさの変化に基づき、表示エリアにおいて撮影時の条件により生じる明るさの変化を推定して、推定結果に基づき、表示エリアにおいて撮影時の条件により生じる明るさの変化を低減させる補正をした補正用原画像データを作成する明るさ変化補正部と、当該補正用原画像データに基づき、前記表示装置において当該表示エリアの輝度ムラを補正する輝度補正値を算出する補正値算出部と、前記輝度補正値を前記表示装置に出力する送信する送信部を備える輝度補正装置と、を備えることを特徴とする。【００１２】
さらに、上記問題を解決するために、本発明に係る輝度補正方法は、画像を表示する表示エリアと当該表示エリアの外縁に形成されているブランクエリアを含む表示画面を備える表示装置が、輝度検出用画像を表示するステップと、撮影装置が、前記表示画面を撮影して、前記表示エリアに表示された画像と前記ブランクエリアとを含む撮影画像データを取得するステップと、前記撮影画像データに基づき、前記ブランクエリアにおける明るさの変化を検出し、当該前記ブランクエリアにおける明るさの変化に基づき、表示エリアにおいて撮影時の条件により生じる明るさの変化を推定して、推定結果に基づき、表示エリアにおいて撮影時の条件により生じる明るさの変化を低減させる補正をした補正用原画像データを作成するステップと、当該補正用原画像データに基づき、前記表示装置において当該表示エリアの輝度ムラを補正する輝度補正値を算出するステップと、を備えることを特徴とする。
【発明の効果】
【００１３】
本発明によると、表示装置自身の輝度ムラを精度よく補正することができる。
【図面の簡単な説明】
【００１４】
【図１】本実施形態に係る輝度補正システムの一例を説明するための概略図である。
【図２】本実施形態に係る表示装置の表示パネルの一例を説明するための概略図である。
【図３】本実施形態に係る輝度補正システムの構成を一例を示すブロック図である。
【図４Ａ】本実施形態に係る輝度補正装置による撮影画像データの歪み除去について説明するための一の図である。
【図４Ｂ】本実施形態に係る輝度補正装置による撮影画像データの歪み除去について説明するための他の図である。
【図５Ａ】本実施形態に係る輝度補正装置によるにおいて撮影時の撮影条件により生じる明るさの変化の推定について説明するための一の図である。
【図５Ｂ】本実施形態に係る輝度補正装置によるにおいて撮影時の撮影条件により生じる明るさの変化の推定について説明するための他の図である。
【図５Ｃ】本実施形態に係る輝度補正装置によるにおいて撮影時の撮影条件により生じる明るさの変化の推定について説明するための他の図である。
【図５Ｄ】本実施形態に係る輝度補正装置によるにおいて撮影時の撮影条件により生じる明るさの変化の推定について説明するための他の図である。
【図６】本実施形態に係る輝度補正方法の一例を説明するためのフローチャートである。
【発明を実施するための形態】
【００１５】
次に、発明を実施するための一形態について図面を参照して詳細に説明する。
図１は、本実施形態に係る輝度補正システムの一例を示す図である。
図１に示す通り、輝度補正システムは、表示装置１と、撮影装置３と、輝度補正装置５とを備える。
表示装置１は、例えば液晶ディスプレイやプラズマディスプレイ等の表示パネル１０を備え、この表示パネル１０に静止画や動画等の画像を表示する。
撮影装置３は、表示装置１の表示パネル１０を撮影して、表示パネル１０が写っている撮影画像データを得る。この撮影装置３は、輝度補正装置５と接続されており、この撮影画像データを輝度補正装置５に送信する。
輝度補正装置５は、表示装置１の表示パネル１０における輝度ムラを補正するための輝度補正データを算出して、表示装置１に送信する。この輝度補正装置５は、受信した撮影画像データに基づき、環境光や撮影装置３による撮影条件に応じて表示パネル１０における輝度値に影響を与える環境特性を考慮して、この環境特性による影響を低減した輝度補正データを算出することを特徴とする。ここで、輝度値に影響を与える環境特性とは、例えば、撮影時の条件（例えば、環境光や温度、撮影装置の画質や解像度等）である。
【００１６】
次に、図２を参照して、表示装置１の表示パネル１０の一例について説明する。
図２に示す通り、表示パネル１０は、静止画や動画等を映し出す領域である表示エリア１０Ａと、この表示エリアの外縁であって、これら静止画や動作等を映し出さないブランクエリア１０Ｂとを含む。つまり、ブランクエリア１０Ｂは、表示エリア１０Ａに表示される画像がいなかるものであっても、当該エリアでは画像を表示していないため、表示される画像による輝度の影響をほとんど受けない。
この表示パネル１０は、ブランクエリア１０Ｂよりもさらに外縁に、表示パネル枠１０Ｃを備える。この表示パネル枠１０Ｃは、構造的に、表示パネル１０を支える枠体である。
【００１７】
また、ブランクエリア１０Ｂの表面は、表示エリア１０Ａの表面と同一の反射率を有し、環境光や温度等の変化による撮影時に受ける明るさの変化への影響が同程度である。つまり、ブランクエリア１０Ｂにおける撮影時に受ける明るさの変化への影響を検出することで、表示エリア１０Ａにおける撮影時に受ける明るさの変化への影響を推定することができる。このブランクエリア１０Ｂは、表示エリア１０Ａの表面と同一の材質によって、一体的に形成されることが好ましい。
なお、図２に示す通り、表示パネル１０には、方向を示す上側Ｕと下側Ｄと右側Ｒと左側Ｌが予め決められている。また、長方形である表示パネル１０において、長手方向を行方向、短手方向を列方向とする。
【００１８】
次に、図３を参照して、輝度補正システムの各構成について詳細に説明する。図３は、本実施形態に係る輝度補正システムにおける各構成の一例を示す図である。
図３に示す通り、表示装置１は、入力部１１と、制御部１２と、記憶部１３と、表示部１４と、通信部１５とを備える。
入力部１１は、静止画や動画等の画像データを入力し、制御部１２に出力する。制御部１２は、入力部１１からの画像データに基づき、画像を表示部１４に表示する。記憶部１３は、表示装置１による動作において必要な情報を記憶し、あるいは処理中の情報を一時的に記憶する。この記憶部１３は、輝度補正テーブルデータを記憶する輝度補正値記憶領域１３１を備え、輝度補正装置５から受信した輝度補正データを輝度補正テーブルデータに格納する。
表示部１４は、上述した表示パネル１０を備え、制御部１２からの指示に従って、画像を表示パネル１０に表示する。通信部１５は、輝度補正装置５と接続され、輝度補正装置５から送信される輝度補正データを受信し、記憶部１３の輝度補正値記憶領域１３１に格納する。
【００１９】
例えば、表示モードに設定されている場合、制御部１２は、入力部１１が入力した画像データを表示部１４に表示させる場合、輝度補正値記憶部１３１から輝度補正データを読み出し、この輝度補正データに基づき画像データを補正して、表示部１４に出力する。これにより、表示部１４の表示パネル１０には、輝度補正された画像が表示される。
なお、輝度補正データは、例えば、表示パネル１０に表示される画像が自然に近い画像となるように調整されるガンマ値を補正する情報である。
【００２０】
一方、輝度補正モードに設定されている場合、制御部１２は、表示エリア１０Ａに、輝度補正用画像を表示させる。この輝度補正用画像は、例えば、白、赤、緑、青などのベタ画像である。また、これに限られず、輝度補正用画像は、表示装置１と撮影装置３との角度を考慮し、撮影画像データからその角度を割り出すための幾何学的パターンを表示するものであってもよい。なお、輝度補正モードは、ユーザあるいは輝度補正装置５が輝度補正処理の実行を指示する信号を入力部１１に入力することにより、設定される。
【００２１】
撮影装置３は、操作部３１と、制御部３２と、撮影部３３と、通信部３４を含む。
操作部３１は、ユーザからの操作を受け付け、この操作に応じた操作信号を制御部３２に出力する。制御部３２は、入力した操作信号に基づき、撮影部３３を制御する。撮影部３３は、制御部３２の制御に従って、撮影対象である表示パネル１０を撮影し、表示エリア１０Ａとブランクエリア１０Ｂを含む撮影画像データを得る。この撮影部３３は、この撮影画像データを通信部３４に出力する。通信部３４は、この撮影画像データを輝度補正装置５に送信する。
この撮影装置３は、例えば、４００万画素以上の光電変換素子を備え、８ビットの１０２４階調以上の画像データを取得するものであることが好ましい。
【００２２】
輝度補正装置５は、制御部５０と、通信部５１と、記憶部５２と、画像処理部５３を含む。
制御部５０は、輝度補正装置５を統括的に制御する。この制御部５０は、輝度補正処理の実行が開始されると、通信部５１を介して、輝度補正処理の実行を表示装置１および撮影装置３に指示する。
通信部５１は、撮影装置３と接続されており、撮影装置３から送信された撮影画像データを受信し、記憶部５２に格納する。この通信部５１は、例えば、ＵＳＢ（Ｕｎｉｖｅｒｓａｌ Ｓｅｒｉａｌ Ｂｕｓ）やＤＤＣ（Ｄｉｓｐｌａｙ ＤａｔａＣｈａｎｎｅｌ）といった通信経路を経て、輝度補正値を表示装置１に送信するものである。
【００２３】
画像処理部５３は、画像データ読取部５３１と、画質判断部５３２と、明るさ変化補正部５３３と、補正値算出部５３４とを含む。この画像処理部５３は、制御部５０により輝度補正処理の実行が指示された場合、専用のアプリケーションに従って、通信部５１を介して受信した撮影画像データに基づき輝度補正値算出処理を実行する。
【００２４】
画像データ読取部５３１は、記憶部５２から撮影画像データを読み出し、画質判定部５３２に出力する。この撮影画像データは、例えば、図４Ａに示すような画像である。この撮影画像データの画像には、表示エリア１０Ａとブランクエリア１０Ｂとが含まれている。ここでは図４Ｂに示す通り、撮影画像データの画像の外枠と、表示エリア１０Ａおよびブランクエリア１０Ｂの外枠とがずれているとする。具体的にいうと、この撮影画像データの画像内において、表示エリア１０Ａおよびブランクエリア１０Ｂの外枠が右下に向かって少し傾いており、ブランクエリア１０Ｂの外側には、例えば表示装置１の表示パネル枠１０Ｃや表示装置１の周りの風景が写っている。
【００２５】
画質判断部５３２は、画像データ読取部５３１によって読み取られた撮影画像データが、適切なファイルフォーマットであるか否か、および、輝度補正値算出処理に利用できる撮影画像データの条件を満たしているか否かを判断する。この輝度補正値算出処理に利用できる撮影画像データの条件は、例えば、画像の解像度や色数等の閾値であって、明るさ変化補正部５３３や補正値算出部５３４によって解析ができる程度の画質を表わすものである。
【００２６】
明るさ変化補正部５３３は、画質判断部５３２によって、適切なフォーマットであって、かつ、輝度補正値算出処理に利用できる撮影画像データの条件を満たしていると判断された場合、撮影画像データの歪みを除去するとともに、撮影時の環境や撮影装置等により生じる明るさの変化（言い換えると、表示装置１自身の表示において内在する輝度ムラ以外の明るさの変化）を除去した補正用原画像データを作成する。
【００２７】
具体的に説明すると、この明るさ変化補正部５３３は、入力される撮影画像データに対してエッジ検出やパターン認識等の画像処理を行い、撮影画像データの画面内における表示エリア１０Ａとブランクエリア１０Ｂを検出する。
また、明るさ変化補正部５３３は、撮影画像データに対して台形補正等の画像処理を行い、図４Ａに示すように撮影画像データの外枠とブランクエリア１０Ｂの外枠がずれている撮影画像データを、図４Ｂに示すように撮影画像データの外枠とブランクエリア１０Ｂの縦外枠と横外枠の方向がそれぞれ平行となるように撮影画像データを変換する。これにより、図４Ｂに示す通り、撮影画像データ内において、表示エリア１０Ａが長方形になり、撮影画像データの歪みが除去される。ここでは、撮影画像データの外枠とブランクエリア１０Ｂの外枠が一致していない例を図４Ａに示し、撮影画像データの外枠とブランクエリア１０Ｂの外枠が一致している例を図４Ｂに示す。なお、図４Ｂに示す図は、ブランクによる画像抽出と幾何学的変形後のデータを示す。
【００２８】
例えば、明るさ変化補正部５３３は、ブランクエリア１０Ｂの情報からエッジ検出を行い、表示エリア１０Ａおよびブランクエリア１０Ｂを含む画像データを抽出する。そして、明るさ変化補正部５３３は、抽出した画像データの四隅の座標が長方形の四隅の座標に合致するように座標変換と台形補正等の処理を行い、歪みを除去した長方形の形になるよう補正を行う。つまり、これにより、撮影画像データは、長方形の形に補正された表示エリア１０Ａとブランクエリア１０Ｂを含む。
【００２９】
また、明るさ変化補正部５３３は、撮影画像データの画面内のブランクエリア１０Ｂにおける明るさの変化を検出し、このブランクエリア１０Ｂにおける明るさの変化に基づき、撮影画像データの表示エリア１０Ａにおける撮影時の環境や撮影装置等により生じる明るさの変化を補正する。
具体的に説明すると、明るさ変化補正部５３３は、ブランクエリア１０Ｂのうち、一辺のブランクエリアの明るさの変化を検出する。
ここで、図５Ａ〜５Ｄを参照して説明すると、ブランクエリア１０Ｂは、ブランクエリア１０１〜１０４の４辺によって構成されている。このうち、例えば、ブランクエリア１０１の明るさは、図５Ａに示すように、上側Ｕの方が暗く、下側Ｄの方が明るい。ここで、明るさ変化補正部５３３は、図５Ｂに示すように、このブランクエリア１０１の明るさの変化をゼロにして、均一の明るさ（輝度分布）となるように補正するためのブランクエリアレベル補正値を算出する。
【００３０】
この明るさ変化補正部５３３は、算出したブランクエリアレベル補正値に基づき、表示エリア１０Ａにおいて撮影時の環境や撮影装置等により生じる明るさの変化を推定し、この表示エリア１０Ａにいて撮影時の環境や撮影装置等により生じる明るさの変化を低減させる表示エリアレベル補正値を算出する。
例えば、明るさ変化補正部５３３は、図５Ａに示す通り、ブランクエリア１０１の列方向に上側Ｕから下側Ｄに向かって明るくなるような明るさの変化を検出した場合、以下のようにする。この明るさ変化補正部５３３は、予め決められた基準明るさとブランクエリア１０１の明るさとの差分に基づき、例えば、暗くなっている上側Ｕの方の明るさを明るくして、明るくなっている下側Ｄの方の明るさを暗くして、ブランクエリア１０１が均一な基準明るさに補正するためのブランクエリアレベル補正値を算出する。
【００３１】
そして、明るさ変化補正部５３３は、ブランクエリアレベル補正値に基づき、表示エリア１０Ａにおいて撮影時の環境や撮影装置等により生じる明るさの変化が列方向に上側Ｕから下側Ｄに向かって明るくなる変化であって、ブランクエリア１０Ｂと同様に基準明るさとずれていると推定する。なお、この推定される表示エリア１０Ａにおいて撮影時の環境や撮影装置等により生じ明るさの変化を、図５Ｃに示す。
そこで、明るさ変化補正部５３３は、例えば、この推定結果に基づき、ブランクエリア１０１における列方向の明るさの変化に応じたブランクエリアレベル補正値を行方向に拡張して、表示エリア１０Ａにおける列方向の明るさを変化させる表示エリアレベル補正値を算出する。
【００３２】
なお、明るさ変化補正部５３３は、上述のように、ブランクエリア１０Ｂのうちいずれか一辺のブランクエリア１０１〜１０４における明るさの変化に基づき、表示エリア１０Ａにおいて撮影時の環境や撮影装置等により生じる明るさの変化を推定するものに限られない。例えば、ブランクエリア１０Ｂのうち列方向の一辺であるブランクエリア１０１と、行方向の一辺であるブランクエリア１０２に基づき、それぞれのブランクエリアレベル補正値を算出して、このブランクエリアレベル補正値に基づき表示エリア１０Ａにおいて撮影時の環境や撮影装置等により生じる明るさの変化を推定するものであってもよい。また、ブランクエリア１０Ｂのうち全てのブランクエリア１０１〜１０４に基づき、それぞれのブランクエリアレベル補正値を算出して、このブランクエリアレベル補正値に基づき表示エリア１０Ａにおいて撮影時の環境や撮影装置等により生じる明るさの変化を推定するものであってもよい。
【００３３】
この明るさ変化補正部５３３は、算出した表示エリアレベル補正値で表示エリア１０Ａを補正し、補正用原画像データを作成する。これにより、図５Ｄに示すように、表示エリア１０Ａにおいて撮影時の環境や撮影装置等により生じる明るさの変化を除去した補正用原画像データを得ることができる。なお、この補正用原画像データにおける表示エリア１０Ａは、撮影時の環境や撮影装置等により生じる明るさの変化が除去されているものの、表示装置１の内部要因により発生する輝度ムラ（明るさの変化）は除去されていない。
【００３４】
補正値算出部５３４は、補正用原画像データに基づき、表示エリア１０Ａにおける輝度ムラを補正する輝度補正データを算出する。この補正値算出部５３４は、例えば、この補正用原画像データから輝度ムラ補正ポイントを決定し、輝度補正データを作成する。この補正値算出部５３４は、作成した輝度補正データを通信部５１を介して、表示装置１に送信する。
【００３５】
次に、図６を参照して、本実施形態に係る輝度補正システムの処理について説明する。図６は、本実施形態に係る輝度補正システムの処理の一例を示すフローチャートである。
図６に示す通り、輝度補正装置５の制御部５０が輝度補正処理の実行を開始すると、制御部５０は、通信部５１を介して、輝度補正処理の実行を表示装置１および撮影装置３に指示する。この表示装置１および撮影装置３は、輝度補正モードに設定される（ステップＳＴ１０１）。
そして表示装置１の制御部１２は、表示パネル１０の表示エリア１０Ａに、輝度補正用画像を表示させる。また、撮影装置３の撮影部３３や、このパネル１０を撮影し、表示エリア１０Ａとブランクエリア１０Ｂとを含む撮影画像データを得る（ステップＳＴ１０２）。そして、撮影装置３は、この撮影画像データを通信部３４を介して輝度補正装置５に送信する。輝度補正装置５は、通信部５１を介してこの撮影画像データを受信し、記憶部５２に記憶させる。
【００３６】
次いで、画像処理部５３が、専用のアプリケーションを実行させ、以下の輝度補正処理を実行させる。
画像読取部５３が、記憶部５１から撮影画像データを読み込み（ステップＳＴ１０４）、画質判断部５３２に出力する。これにより、画質判断部５３２は、撮影画像データのファイルフォーマットが、輝度補正値算出処理に利用できる撮影画像データのファイルフォーマットとして正常であるか否かを判断する（ステップＳＴ１０５）。ファイルフォーマットとして正常である場合、画質判断部５３２は、さらに、撮影画像データの画素数や画質等の情報が、輝度補正値算出処理に利用できる撮影画像データの条件を満たしているか否かを判断する（ステップＳＴ１０６）。
【００３７】
輝度補正値算出処理に利用できる撮影画像データの条件を満たしていると判断された場合、明るさ変化補正部５３３は、入力される撮影画像データに対してエッジ検出やパターン認識等の画像処理を行い、撮影画像データの画面内における表示エリア１０Ａとブランクエリア１０Ｂを検出する。そして、明るさ変化補正部５３３は、この表示エリア１０Ａとブランクエリア１０Ｂの歪みを除去する画像処理を撮影画像データに対して行うとともに、ブランクエリア１０Ｂにおける明るさの変化を検出する。この明るさ変化補正部５３３は、このブランクエリア１０Ｂにおける明るさの変化に基づき、表示エリア１０Ａにおいて撮影時の環境や撮影装置等により生じる明るさの変化を推定し、この表示エリア１０Ａにおいて撮影時の環境や撮影装置等により生じる明るさの変化を低減させる表示エリアレベル補正値を算出する（ステップＳＴ１０７）。
【００３８】
次いで、明るさ変化補正部５３３は、この表示エリアレベル補正値で表示エリア１０Ａを補正し、補正用原画像データを作成し、補正値算出部５３４に出力する。
そして、補正値算出部５３４は、補正用原画像データに基づき、表示エリア１０Ａにおける輝度ムラを補正する輝度補正データを算出する。この補正値算出部５３４は、例えば、この補正用原画像データから輝度ムラ補正ポイントを決定し、輝度補正データを作成する（ステップＳＴ１０８）。
この補正値算出部５３４は、作成した輝度補正データを通信部５１を介して、表示装置１に送信する（ステップＳＴ１０９）。
【００３９】
上述の通り、本実施形態に係る輝度補正システムでは、撮影装置３が得た撮影画像データに基づき、輝度補正装置５が撮影時の環境や撮影装置等により生じる明るさの変化を推定し、この撮影時の環境や撮影装置等により生じる明るさの変化を低減させた補正用原画像データを作成する。そして、輝度補正装置５は、この補正用原画像データに基づき、輝度補正データを作成する。
これにより、使用する撮影装置の種類や性能が異なる場合であっても、表示装置１が設置される環境光や温度等が異なる場合であっても、表示装置自身の輝度ムラを精度よく補正することができる。
【００４０】
よって、撮影装置３は、一般的に普及しているデジタルカメラ等が利用可能であり、出荷後にユーザの下で輝度補正を行うことができる。また、表示装置１や撮影装置３の設置位置に応じて、撮影時の環境光や温度等が変化する場合であっても、これら撮影環境に関わらず、利用することできる。さらに、表示装置１が、出荷後に輝度ムラが生じた場合や経年劣化により補正が必要になった場合であっても、例えば、使用環境の条件を一定に揃えて、輝度補正の知識を有するものが、撮影時の条件等による輝度ムラを考慮して輝度補正をする必要がなく、簡単に輝度補正を行うことができる。
【００４１】
また、明るさ変化補正部５３３は、撮影画像データの歪みを除去する画像処理を行った後に、撮影時の環境や撮影装置等により生じる明るさの変化を除去した補正用原画像データを作成する。
これにより、表示装置の撮影者の撮影技術が未熟で、撮影画像データ内において表示エリア１０Ａおよびブランクエリア１０Ｂが歪んでいる場合であっても、撮影者の撮影方法や撮影技術等の違いにより生じる撮影画像データ内における表示エリア１０Ａの明るさの変化を補正することができる。
【００４２】
また、本発明は、上記構成に限られず、例えば、以下のような構成であってもよい。
例えば、表示パネル１０は、液晶ディスプレイやプラズマディスプレイの表示画面に限られず、プロジェクターによって映像が投影されるスクリーンやパソコンや電子機器等の表示画面等であってもよい。
【００４３】
また、上述の表示装置１、撮影装置３および輝度補正装置５の各構成における動作の過程は、コンピュータに実行させるためのプログラムや、このプログラムとしてコンピュータ読み取り可能な記録媒体として利用可能であり、コンピュータシステムが読み出して実行することによって、上記処理が行われる。なお、ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリー等の書き込み可能な不揮発性メモリ、ＣＤ−ＲＯＭ等の可搬媒体、コンピュータシステムに内蔵されるハードディスク等の記憶装置のことをいう。
【００４４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄａｍ  Ａｃｃｅｓｓ  Ｍｅｍｏｒｙ））のように、一定時間プログラムを保持しているものも含むものとする。
また、上記プログラムは、このプログラムを記憶装置等に記憶したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【符号の説明】
【００４５】
１・・・表示装置、３・・・撮影装置、５・・・輝度補正装置、１０・・・表示パネル、３３・・・撮影部、５３１・・・画像データ読取部、５３２・・・画質判断部、５３３・・・明るさ変化補正部、５３４・・・補正値算出部
【図１】
2011141972.tif 000003
【図３】
2011141972.tif 000004
【図５Ｂ】
2011141972.tif 000005
【図５Ｄ】
2011141972.tif 000006
【図６】
2011141972.tif 000007
【図２】
2011141972.tif 000008
【図４Ａ】
2011141972.tif 000009
【図４Ｂ】
2011141972.tif 000010
【図５Ａ】
2011141972.tif 000011
【図５Ｃ】
2011141972.tif 000012
【国際調査報告】
2011141972.tif 000013
2011141972.tif 000014
2011141972.tif 000015
2011141972.tif 000016